(57)【特許請求の範囲】
【請求項１】
中央処理装置と内部記憶装置とを有し、各種周辺装置を制御し、各種プログラムを実行すると共に、各種データを処理するコンピュータと、
キーボードとマウスとから構成され、前記コンピュータに各種指令及び各種データを入力する操作装置と、
用紙等に印刷された画像を読み取り、前記コンピュータに画像データとして入力する読取装置と、
画面上に各種データ及び画像を出力表示する表示装置と、
用紙等に文字、画像を印刷する印刷装置と、
から構成され、
前記表示装置の画面上に表示された広域地図画像から所定領域を切り取って、領域地図画像を作成する領域切取プログラムと、
前記領域地図画像を用紙に印刷して形成した領域地図に水道管、ガス管等の漏洩個所を明示したものを前記読取装置により読み取って領域地図画像データとした後、当該領域の領域地図画像データを切り取る画像切取プログラムと、
前記領域地図画像データを変換処理し、領域地図画像を幾何補正する幾何補正プログラムと、
前記広域地図画像の所定位置に前記漏洩個所を明示した領域地図画像を貼り付ける地図貼付プログラムと、
を前記コンピュータの内部記憶装置に格納した地図読取装置であって、
前記操作装置のマウスを操作して、前記表示装置の画面上に表示された広域地図画像の所定領域の周囲をクリックすることによって、その所定領域の周囲の四隅にマーカーを表示させ、その所定領域内をクリックすることによって、前記領域切取プログラムを作動させて、前記領域地図画像を作成することを特徴とする地図読取装置。
【請求項２】
前記印刷装置によって、用紙に前記領域地図画像を印刷すると共に、当該領域地図画像の周囲の四隅にマーカーを、適宜位置に識別コードを表示して、当該領域の領域地図を印刷、出力することを特徴とする請求項１に記載の地図読取装置。
【請求項３】
前記識別コードは、前記領域地図画像の中心位置の座標値を格納するものであることを特徴とする請求項２に記載の地図読取装置。
【請求項４】
前記画像切取プログラムは、前記領域地図画像を印刷した用紙のうち、周囲の四隅をマーカーで包囲された領域地図画像データを切り取って、画像データとして取り込むものであることを特徴とする請求項２又は３に記載の地図読取装置。
【請求項５】
前記地図貼付プログラムは、前記領域地図画像を印刷した用紙の識別コードを読み取ることによって、前記領域地図画像の所定位置の座標値を認識し、前記表示装置の画面上に表示された広域地図画像の所定位置に前記領域地図画像を貼り付けるものであることを特徴とする請求項２乃至４の何れかに記載の地図読取装置。
【発明の詳細な説明】
【技術分野】
【０００１】
本発明は、情報を記載した所定領域の紙地図を読み取って、当該領域を含む地図画像ファイルに自動的に取り込むことができる地図読取装置に関する。
【背景技術】
【０００２】
従来、水道管、ガス管等における漏洩個所を調査する場合には、作業者が調査領域の紙地図を持参し、現場においてその紙地図上に文字、記号等を記載することによって、漏洩個所を明示するようにしていた。そして、漏洩個所を明示した紙地図を作業者が事務所等に持ち帰り、事務所等において事務担当者が、持ち帰った紙地図を参照しながら、コンピュータの表示装置の画面に表示された地図上に文字、記号等を入力することによって、漏洩個所を表示、登録していた。
【０００３】
しかし、従来の方法では、事務担当者が多数の紙地図を参照しながら、漏洩個所を画面に表示された地図上に手作業で入力するため、入力作業に非常に時間がかかると共に、誤って画面入力することもあって、作業効率が極めて悪かった。
【０００４】
そこで、作業者が持ち帰った多数の紙地図を画像読取装置（スキャナ）によって、画像データとして読み取り、その後、事務担当者がその画像データをコンピュータの表示装置の画面上で画像編集ソフトを使用して適宜領域に切り取り、幾何補正ソフトを使用して幾何補正を行った上、座標位置を指定して幾何補正後の画像データをコンピュータの表示装置の画面に取り込むことが提案されている（特許文献１参照）。
【０００５】
【特許文献１】特開２０１１−２３７５５２号公報
【発明の開示】
【発明が解決しようとする課題】
【０００６】
しかし、特許文献１に記載の方法では、例えば１００枚以上もの多数の紙地図を画像読取装置によって読み取った上で、事務担当者がコンピュータの表示装置の画面上で各画像データを一々適宜領域に切り取り、幾何補正を行った上、座標位置を指定して取り込むために、作業は極めて繁雑であり、作業には長時間を要して、面倒であった。
【０００７】
本発明は、かかる従来の問題点に鑑みて為されたものであって、多数の紙地図を画像読取装置によって読み取り、コンピュータの表示装置の画面上に表示された地図に取り込む場合に、作業が極めて簡単であると共に、作業に長時間を要しない地図読取装置を提供することを目的とする。
【課題を解決するための手段】
【０００８】
上記目的を達成するために、本発明の地図読取装置は、
中央処理装置と内部記憶装置とを有し、各種周辺装置を制御し、各種プログラムを実行すると共に、各種データを処理するコンピュータと、
キーボードとマウスとから構成され、前記コンピュータに各種指令及び各種データを入力する操作装置と、
用紙等に印刷された画像を読み取り、前記コンピュータに画像データとして入力する読取装置と、
画面上に各種データ及び画像を出力表示する表示装置と、
用紙等に文字、画像を印刷する印刷装置と、
から構成され、
前記表示装置の画面上に表示された広域地図画像から所定領域を切り取って、領域地図画像を作成する領域切取プログラムと、
前記領域地図画像を用紙に印刷して形成した領域地図に水道管、ガス管等の漏洩個所を明示したものを前記読取装置により読み取って領域地図画像データとした後、当該領域の領域地図画像データを切り取る画像切取プログラムと、
前記領域地図画像データを変換処理し、領域地図画像を幾何補正する幾何補正プログラムと、
前記広域地図画像の所定位置に前記漏洩個所を明示した領域地図画像を貼り付ける地図貼付プログラムと、
を前記コンピュータの内部記憶装置に格納した地図読取装置であって、
前記操作装置のマウスを操作して、前記表示装置の画面上に表示された広域地図画像の所定領域の周囲をクリックすることによって、その所定領域の周囲の四隅にマーカーを表示させ、その所定領域内をクリックすることによって、前記領域切取プログラムを作動させて、前記領域地図画像を作成することを特徴とする。
【０００９】
本発明の地図読取装置は、又、前記印刷装置によって、用紙に前記領域地図画像を印刷すると共に、当該領域地図画像の周囲の四隅にマーカーを、適宜位置に識別コードを表示して、当該領域の領域地図を印刷、出力することを特徴とする。
【００１０】
ここで、前記識別コードは、前記領域地図画像の中心位置の座標値を格納するものであることが好ましい。
【００１１】
又、前記画像切取プログラムは、前記領域地図画像を印刷した用紙のうち、周囲の四隅をマーカーで包囲された領域地図画像データを切り取って、画像データとして取り込むものであることを特徴とする。
【００１２】
又、前記地図貼付プログラムは、前記領域地図画像を印刷した用紙の識別コードを読み取ることによって、前記領域地図画像の所定位置の座標値を認識し、前記表示装置の画面上に表示された広域地図画像の所定位置に前記領域地図画像を貼り付けるものであることを特徴とする。
【発明の効果】
【００１３】
本発明の地図読取装置によれば、自動的に領域地図画像データを切り取り、傾斜、歪み補正等の幾何補正をし、地図の所定位置に領域地図画像を貼り付けるから、画面に表示された地図上に、漏洩個所等の情報を自動的に表示することができ、誤って表示することもないから、作業が極めて簡単であると共に作業に長時間を要しない。
【図面の簡単な説明】
【００１４】
【図１】本発明の地図読取装置の構成図である。
【図２】図１の内部記憶装置の構成図である。
【図３】本発明の地図読取装置によって処理する手順を示すフロー図である。
【図４】本発明の地図読取装置の表示装置の画面上に地図を表示した図である。
【図５】適宜領域で切り取った紙地図を示す正面図である。
【図６】図５の紙地図に漏洩個所等の情報を記載した状態を示す正面図である。
【図７】図４の表示装置の画面上の地図に、紙地図に記載した情報を取り込んだ状態を示す図である。
【発明を実施するための形態】
【００１５】
本発明の地図読取装置の好適な実施形態について、以下、図面を参照して説明する。
【００１６】
本発明の地図読取装置１は、図１に示すように、コンピュータ２，操作装置３，読取装置４，表示装置５，印刷装置６及び外部記憶装置７から構成される。
【００１７】
コンピュータ２は、操作装置３，読取装置４，表示装置５，印刷装置６及び外部記憶装置７等の各種周辺装置を制御し、各種プログラムを実行すると共に、各種データを処理するものであり、中央処理装置２１、内部記憶装置２２を有している。
【００１８】
中央処理装置２１は、各種周辺装置を制御し、各種プログラムを実行すると共に、各種データを処理するものである。
【００１９】
内部記憶装置２２（内部メモリ）は、図２に示すように、各種プログラムを格納するプログラム領域２３と、各種データを一時的に記憶するデータ記憶領域２４とを有する。本発明の地図読取装置１においては、このプログラム領域２３に、領域切取プログラム２３ａ、画像切取プログラム２３ｂ、幾何補正プログラム２３ｃ、地図貼付プログラム２３ｄ等を格納してある。
【００２０】
操作装置３は、キーボード、マウス等から構成され、制御指令、データをコンピュータ２に入力するものである。
【００２１】
読取装置４（スキャナ）は、用紙等に印刷された画像を読み取り、コンピュータ２に画像データを入力するものである。
【００２２】
表示装置５（ディスプレイ）は、画面上に制御指令、データ、画像等を出力表示するものである。
【００２３】
印刷装置６は、用紙等に文字、画像を印刷するものである。
【００２４】
外部記憶装置７（外部メモリ）は、大容量の各種プログラム、各種データを長期的に記憶するものである。本発明の地図読取装置１においては、この外部記憶装置７に地図画像データファイルを格納してある。
【００２５】
本発明の地図読取装置１は、以上のような構成であって、以下のように操作することによって、所定の動作を実行する。
【００２６】
先ず、操作者は、地図読取装置１の操作装置３を操作して、コンピュータ２に表示指令データを入力する。これによって、中央処理装置２１は外部記憶装置７に格納してある地図画像データを読み出し、図４に示すように、表示装置５の画面上に所定範囲の広域地図１００が表示される。
【００２７】
この表示画面において、操作者は、操作装置３であるマウスを使用して、地図の所定領域の周囲をクリック等することによって、その所定領域の周囲の四隅にマーカー１０１ａを表示させる。
【００２８】
ここで、四隅にマーカー１０１ａが表示された領域内をクリック等して指定すれば、領域切取プログラム２３ａが作動し、当該領域が切り取られ、さらに、印刷命令を実行すれば、図５に示すように、印刷装置６によって、広域地図１００の当該領域が切り出されて、用紙上に領域地図１０１が印刷される（Ｓ１）
【００２９】
そして、印刷された領域地図１０１と共に、領域地図１０１の周囲四隅にマーカー１０１ａ、下部に識別番号１０１ｂ及び識別コード１０１ｃが表示される。
【００３０】
この識別番号１０１ｂは、領域地図１０１の印刷順序を表示するものであってもよく、地図１００内の所定区画を表示するものであつてもよい。
【００３１】
識別コード１０１ｃは、領域地図１０１内の所定位置の座標値、例えば、中心位置の座標値を格納するものとする。そして、識別コード１０１ｃは、バーコード等の一次元コード、ＱＲコード［登録商標］等の二次元コードであってもよいが、特には、多くの情報を格納できる二次元コード、ＱＲコード［登録商標］であるのが好ましい。
【００３２】
さらに、領域地図１０１には、その上部又は下部に、日付（年月日）が表示されていてもよい。これによれば、領域地図１０１を印刷した日付が一目で認識でき、作業者、操作者にとっても種々便利である。
【００３３】
作業者は、水道管、ガス管等における漏洩個所を調査する際に、この領域地図１０１を現場に持参して、調査において漏洩等を発見したら、図６に示すように、領域地図１０１上に直接、文字１０２ａ、記号１０２ｂ等を記載して漏洩個所を明示する（Ｓ２）。
【００３４】
そして、作業者は、調査終了後に、漏洩個所を明示した領域地図１０１を事務所等に持ち帰ればよい。
【００３５】
事務所等において、事務担当者（操作者）は、作業者が持ち帰った領域地図１０１を読取装置４によって読み取り（Ｓ３）、コンピュータ２内の内部記憶装置２２に領域地図画像データを格納する（Ｓ４）。
【００３６】
その後、操作者が操作装置３によって地図読取指令を入力すれば、内部記憶装置２２内に格納された画像切取プログラム２３ｂが作動し、用紙のうち、周囲四隅をマーカー１０１ａで包囲された領域地図画像データを切り取る（Ｓ５）。
【００３７】
次に、幾何補正プログラム２３ｃが作動し、領域地図画像データを変換処理等し、領域地図画像を拡大縮小、回転、傾斜、歪み補正等して（Ｓ６）、表示装置５の画面上に表示された地図１００に貼り付けできる状態とする。
【００３８】
次に、地図貼付プログラム２３ｄが作動し、識別コード１０１ｃを読み取ることによって（Ｓ７）、領域地図画像データの座標値を認識し、図７に示すように、表示装置５の画面上に表示された地図１００の所定位置に領域地図画像を貼り付ける（Ｓ８）。
【００３９】
このようにして、本発明の地図読取装置１によれば、領域地図１０１を読取装置４によって読み取った後は、自動的に領域地図画像データを切り取り（Ｓ５）、傾斜、歪み補正等の幾何補正をし（Ｓ６）、広域地図１００の所定位置に領域地図画像を貼り付ける（Ｓ８）から、画面に表示された広域地図１００上に、漏洩個所等を自動的に表示することができ、誤って表示することもなく、作業効率は極めて良い。
【００４０】
又、本発明の地図読取装置１によれば、多数の領域地図１０１を画像読取装置４によって読み取る場合であっても、読み取った後は自動的に領域地図画像データを処理して、画面に表示された広域地図１００上に漏洩個所等を表示することができるから、作業が極めて簡単であると共に、作業は極めて短時間ですむ。
【００４１】
上記実施例においては、操作者が領域地図１０１を読取装置４によって読み取り、コンピュータ２内の内部記憶装置２２に領域地図画像データを格納した後、操作者が地図読取指令を入力することによって、処理プログラムが作動するものについて説明したが、領域地図１０１を読取装置４によって読み取った後、直ちに処理プログラムが自動的に作動するものとしてもよい。
【００４２】
このような装置構成とすれば、操作者の作業は領域地図１０１を読取装置４によって読み取ることだけになって、より作業が簡単になる。
【００４３】
又、水道管、ガス管等における漏洩個所を調査する場合に、本発明の地図読取装置１を利用する場合について説明したが、本発明の地図読取装置１はこのような用途に限定されるものではなく、例えば、痴呆老人の常習的な徘徊行動ルートを情報として地図１００に記録する等しておけば、痴呆老人の居場所を想定する手掛りとすることもできる。
【符号の説明】
【００４４】
１  地図読取装置
２  コンピュータ
２２  内部記憶装置
２３  プログラム領域
２３ａ  領域切取プログラム
２３ｂ  画像切取プログラム
２３ｃ  幾何補正プログラム
２３ｄ  地図貼付プログラム
３  操作装置
４  読取装置
５  表示装置
６  印刷装置
１００  地図
１０１  領域地図
１０１ａ  マーカー
１０１ｃ  識別コード
【図１】
0006416584.tif 000002
【図２】
0006416584.tif 000003
【図３】
0006416584.tif 000004
【図４】
0006416584.tif 000005
【図５】
0006416584.tif 000006
【図６】
0006416584.tif 000007
【図７】
0006416584.tif 000008